(57)【要約】【課題】ディスクを入れたディスクケースを順にめくりながら選んだり、あるいは取り出しが容易に行える。【解決手段】前方が開口した収納箱１の左右に対向する側板２間にスライド棚３を配設する。水平面部４の上面に左右方向の全長にわたる縦リブ５を前後方向に複数突設して前後に隣合う縦リブ５間の隙間をディスク入れ用凹部６とした押し出し成形により形成されたスライド棚主体７の左右両端面に側面カバー８を取付けてスライド棚３を構成する。スライド棚３を収納箱１の前方開口部１ａから前方に引出し自在とする。【選択図】        図１
2004231276.tif 000002
【特許請求の範囲】
【請求項１】
前方が開口した収納箱の左右に対向する側板間にスライド棚を配設し、水平面部の上面に左右方向の全長にわたる縦リブを前後方向に複数突設して前後に隣合う縦リブ間の隙間をディスク入れ用凹部とした押し出し成形により形成されたスライド棚主体の左右両端面に側面カバーを取付けてスライド棚を構成し、該スライド棚を収納箱の前方開口部から前方に引出し自在として成ることを特徴とする収納箱におけるディスク保持機能を備えたスライド棚の構造。
【請求項２】
角カバーに嵌め込み部を設け、この角カバーをスライド棚主体の前端部の左右両側の角部に配置して該角部を覆うと共に角カバーに設けた嵌め込み部をスライド棚主体の前端部のディスク入れ用凹部の左右方向の端部に嵌め込み、角カバーの嵌め込み部の嵌め込み方向と反対側の側端部に側面カバーの前端部内側面を当接し、該側面カバーの外側面に移動側レールを当接して該移動側レールを側面カバーを介してねじ具によりスライド棚主体に固着し、移動側レールを収納箱の側板の内側面に固定した固定側レールに対してスライド自在に取付けて成ることを特徴とする請求項１記載の収納箱におけるディスク保持機能を備えたスライド棚の構造。
【請求項３】
縦リブの前後面に左右方向にわたる凹凸部を設けて成ることを特徴とする請求項１又は請求項２記載の収納箱におけるディスク保持機能を備えたスライド棚の構造。
【発明の詳細な説明】
【０００１】
【発明の属する技術分野】
本発明は、収納箱におけるディスク保持機能を備えたスライド棚の構造に関するものである。
【０００２】
【従来の技術】
従来からＣＤのような収納対象を収納する収納ラックとして棚板の上面側の前列と後列とにそれぞれ収納スペースを設け、前列スペースに収納トレーを左右スライド自在に配置し、後列スペースに仕切枠を配置し、前列の収納トレーを左右にスライドすることにより後列の収納スペースの仕切枠間に収納した収納対象を容易に出し入れするようなものが知られている。（例えば、特許文献１参照）
この特許文献１に示された従来例にあっては、収納ラック自体の棚板は収納ラックの前開口から前方に引出せないので、棚板の奥である後列の収納スペースに収納したＣＤの取り出しが難しいものである。特に、ＣＤを立てて並べた場合、取り出す際には上方に引き上げて取り出す必要があり、このため上下の棚板間の隙間が長くなければ、取り出すことは出来ないという問題がある。また、上記従来にあっては、棚板の上面に別体の収納トレーや別体の仕切枠を配設する必要があり、構造が複雑となるという問題がある。また、上記従来例にあっては、ＣＤを収納する場合、ＣＤを立てて横向きに並べるものであり、このため、順にめくりながら選ぶ際に、ＣＤのタイトルなどが正面を向かずに横からしか見えず、このため選び難いという問題がある。更に、上記従来例にあっては、棚板の横巾が異なる場合、つまり、収納ラックの側板間の横巾が異なる場合には、側板間の横巾の異なる収納ラック毎に棚板、収納トレー等を別に形成する必要がある。
【０００３】
【特許文献１】
特開２００１−８７５５号公報
【０００４】
【発明が解決しようとする課題】
本発明は上記の点に鑑みてなされたものであり、簡単な構成のスライド棚にＣＤなどのディスクを入れたディスクケースを効率よく収納でき、しかも、順にめくりながら選んだり、あるいは取り出しが容易に行える収納箱におけるディスク保持機能を備えたスライド棚の構造を提供することを課題とするものである。
【０００５】
【課題を解決するための手段】
上記課題を解決するために本発明に係る収納箱におけるディスク保持機能を備えたスライド棚の構造は、前方が開口した収納箱１の左右に対向する側板２間にスライド棚３を配設し、水平面部４の上面に左右方向の全長にわたる縦リブ５を前後方向に複数突設して前後に隣合う縦リブ５間の隙間をディスク入れ用凹部６とした押し出し成形により形成されたスライド棚主体７の左右両端面に側面カバー８を取付けてスライド棚３を構成し、該スライド棚３を収納箱１の前方開口部１ａから前方に引出し自在として成ることを特徴とするものである。
【０００６】
このような構成とすることで、スライド棚３の上面部に設けたディスク入れ用凹部６にＣＤやコンピュータディスク等のディスクを入れたディスクケース２３を前後方向に立てて並べて収納することができ、取り出す際にはスライド棚３を収納箱１の前方開口部１ａから引出して順にめくりながら選んで、目的とするディスクケース２３を奥のものでも容易に取り出すことができるものであり、この場合、ディスクケース２３のタイトルなどを表示した表面が正面を向くようにして前後方向に立て並べてあるので、ディスクケース２３をめくりながら選択する際に表面を見てタイトルなどを正確に確認しながら容易に目的とするディスクケース２３を選び出して取り出すことができるものである。しかも、スライド棚３の主体となるスライド棚主体７は水平面部４の上面に左右方向の全長にわたる縦リブ５を前後方向に複数突設して前後に隣合う縦リブ５間の隙間をディスク入れ用凹部６とした押し出し成形により形成されたものであり、これにより、スライド棚主体７が押し出し成形により簡単に得られ、部材点数が少なくなり、更に、スライド棚３の横巾が異なるものであっても、押し出し成形したスライド棚主体７の切断位置を変えることで容易に多数のディスク入れ用凹部６を一体に有するものが得られることになり、また、多数のディスク入れ用凹部６を一体に備えた押し出し成形により形成したスライド棚主体７の切断端部を側面カバー８で覆うことで、押し出し成形したスライド棚主体７の切断端部が露出せず、切断端部で指などを傷つけたりすることなく、外観も良くなるものである。
【０００７】
また、角カバー９に嵌め込み部１０を設け、この角カバー９をスライド棚主体７の前端部の左右両側の角部に配置して該角部を覆うと共に角カバー９に設けた嵌め込み部１０をスライド棚主体７の前端部のディスク入れ用凹部６の左右方向の端部に嵌め込み、角カバー９の嵌め込み部１０の嵌め込み方向と反対側の側端部に側面カバー８の前端部内側面を当接し、該側面カバー８の外側面に移動側レール１２ａを当接して該移動側レール１２ａを側面カバー８を介してねじ具１１によりスライド棚主体７に固着し、移動側レールを収納箱１の側板２の内側面に固定した固定側レール１２ｂに対してスライド自在に取付けることが好ましい。
【０００８】
このような構成とすることで、多数のディスク入れ用凹部６を一体に備えた押し出し成形により形成したスライド棚主体７の切断端部を側面カバー８で覆うだけでなく、スライド棚主体７の前端部の左右両側の角部を角カバー９により覆って、角で指などを傷つけたりすることなく、外観も良くなるものであり、しかも、移動側レール１２ａをねじ具１１によりスライド棚３に取付ける際に、同時に上記側面カバー８、角カバー９をスライド棚主体７に取付けることができるものである。
【０００９】
また、縦リブ５の前後面に左右方向にわたる凹凸部１３を設けることが好ましい。このような構成とすることで、ディスク入れ用凹部６にディスクケース２３を入れて立てかけた場合、ディスクケース２３の下端の角部が縦リブ５の凹凸部１３に引っ掛かるるため、スライド棚３のスライド時の振動でディスクケース２３ががたついたり、倒れたりするのを防止できるものである。
【００１０】
【発明の実施の形態】
以下、本発明を添付図面に示す実施形態に基づいて説明する。
【００１１】
図１、図２に示すように、収納箱１の左右の側板２間には上下方向に複数の棚板１４が架設してあって収納箱１の内部に収納空所１５が上方方向に複数個設けてあり、複数の収納空所１５の前方開口部１ａには必要に応じて開閉自在な扉１６を取付けてある。
【００１２】
図１に示す実施形態においてはこのような構成の収納箱１を横方向に複数個並設してある。
【００１３】
上記収納箱１のうち少なくとも一つの収納箱１の任意の収納空所１５の左右の側板２間にＣＤやコンピュータディスク等のディスクを入れた多数のディスクケース２３を収納することができるスライド棚３を配設してある。
【００１４】
スライド棚３は、図６に示すように板状をした水平面部４の上面に左右方向の全長にわたる縦リブ５を前後方向に複数一体に突設して構成したスライド棚主体７と、このスライド棚主体７の左右両端面に取付ける側面カバー８と、スライド棚主体７の前端部の左右両側の角部に配置して該角部を覆う角カバー９とで構成してある。
【００１５】
スライド棚主体７はアルミニウムや合成樹脂の押し出し成形により形成してあり、スライド棚主体７の左右方向の長さは収納箱１の両側板２間の長さ（巾）に対応して押し出し成形品を切断することで、側板２間の長さが異なる各種の収納箱１に対応できるようにしてある。
【００１６】
また、スライド棚主体７には板状をした水平面部４の下面の前後にタッピングホール部１６を一体に形成してある。スライド棚主体７に設けた縦リブ５間の隙間はディスク入れ用凹部６となっており、したがって、スライド棚主体７には上面部に左右方向にわたって上方に開口するディスク入れ用凹部６が前後方向に多数形成してある。このディスク入れ用凹部６の溝巾は一般的なＣＤやコンピュータディスクを入れたディスクケース２３の厚み寸法よりも少し長い溝巾（例えば略１５ｍｍ程度）となっており、ディスク入れ用凹部６の溝深さはディスク入れ用凹部６に一般的なＣＤやコンピュータディスクを入れたディスクケース２３を差し込んだ場合にディスクケース２３が倒れない程度の深さにしてあり、添付図面に示す実施形態では溝深さは溝巾と略等しくなっている。
【００１７】
水平面部４の最前端に突設した縦リブ５ａは他の縦リブ５よりも上方への突出長さが長く且つ上端部が後方側に向けてＬ状に屈曲した上Ｌ状突片５ｂとなっており、更に下端部に水平面部４よりも下方にＬ状に突出した指掛け用の下Ｌ状突片５ｃが突設してある。
【００１８】
角カバー９は図１３に示すようなもので、前面板部９ａの上端部に後方に向けて断面半円弧状をした上面板部９ｂを突設し、前面板部９ａの後面の略中央部に後方に向けて中間垂直片９ｃを突設し、中間垂直片９ｃの一側面から前面板部９ａと平行に嵌め込み部１０を突設してあり、この嵌め込み部１０は下横片１０ａの両端部に前縦片１０ｂ、後縦片１０ｃを一体に突出したＵ状をしており、前縦片１０ｂは後縦片１０ｃよりも上方への突出長さが長くなっている。前縦片１０ｂと前面板部９ａとの間には最前端の縦リブ５ａの厚みと同じ寸法の巾の隙間がある。また、下横片１０ａの後部及び後縦片１０ｃは中間垂直片９ｃの後端よりも後方に突出しており、前縦片１０ｂの前面と後縦片１０ｃと後面との間の寸法は最前端のディスク入れ用凹部６の溝巾と同じにしてある。
【００１９】
上記の構成の角カバー９は図７のようにスライド棚主体７の前端部の左右両側の角部にそれぞれ配置し、図８のように嵌め込み部１０を最前端のディスク入れ用凹部６の左右方向の端部に嵌め込むと共に中間垂直片９ｃを最前端の縦リブ５の左右方向の端面当接し且つ前面板部９ａの略片側半部（嵌め込み部１０が突出している方向と同方向の片側半部）を最前端の縦リブ５の前面の左右方向の端部に当接する。嵌め込み部１０を最前端のディスク入れ用凹部６の左右方向の端部に嵌め込んだ状態で前縦片１０ａは最前端の縦リブ５の後面に沿い且つ上端部が上Ｌ状突片５ｂの屈曲部内に嵌め込まれ、また、下横片１０ａの後部及び後縦片１０ｃが側面カバー８を取付ける前の状態では図８の分解斜視図に示すように露出する。
【００２０】
側面カバー８は図１４に示すようなものであって前後方向に長いものであり、側カバー部８ａの上端に沿って上横カバー部８ｂを突設した断面逆Ｌ字状をしており、上横カバー部８ｂの前端部は側カバー部８ａの前端部よりも前方に突出して嵌め込み突片８ｃとなっており、側カバー部８ａには前後に孔８ｄが設けてある。
【００２１】
この側面カバー８は図９のようにスライド棚主体７の左右方向の両側端面（切断端面）に配設され、側カバー部８ａでスライド棚主体７の側端面を覆うと共に上横カバー部８ｂを多数の縦リブ５の左右方向の端部上面に載せる。この場合、側面カバー８の前端部の内側面が下横片１０ａの後部及び後縦片１０ｃに当接し、更に、側面カバー８の前端部の嵌め込み突片８ｃが角カバー９の上面板部９ｂの下側に嵌め込まれる。
【００２２】
収納箱１の収納空所１５に引出し自在にスライド棚３を取付けるためのレール機構はスライド棚３側に取付ける移動側レール１２ａと、収納箱１の側板２の内面に固定する固定側レール１２ｂとで構成してあり、移動側レール１２ａを固定側レール１２ｂに前後方向にスライド自在に嵌め込むことで構成されるものである。
【００２３】
そして、このレール機構の構成部材である移動側レール１２ａには図６に示すように前後にねじ挿入孔１２ｃが設けてある。移動側レール１２ａは上記スライド棚主体７の左右方向の両側端面に配設されて切断端部を覆っている側面カバー８の外側面に沿って当接し、ねじ挿入孔１２ｃから挿入したねじ具１１を挿入し、側面カバー８の孔８ｄを挿通してスライド棚主体７に設けたタッピングホール部１６にねじ込むことで移動側レール１２ａを側面カバー８を介してねじ具１１によりスライド棚主体７に固着するものである。この場合、側面カバー８が上記移動レール１２ａをスライド棚主体７に取付けるためのねじ具１１により同時にスライド棚主体７に取付けられ、また、このように側面カバー８がスライド棚主体７に取付けられることで、側面カバー８の内面による嵌め込み部１０の下横片１０ａの後部及び後縦片１０ｃへの当接状態が維持され、これにより嵌め込み部１０が最前端のディスク入れ用凹部６から抜けることがないように取付けられる。
【００２４】
このように、側面カバー８、角カバー９をスライド棚主体７に取付けるにあたり、これらの側面カバー８、角カバー９を個々に別々に固着具でスライド棚主体７に取付けることなく、スライド棚主体７に移動側レール１２ａをねじ具１１により取付けることで同時に側面カバー８、角カバー９をスライド棚主体７に取付けることができるものである。
【００２５】
収納箱１の対向する側板２の対向面には図２に示すように前後方向に固定レール１２ｂがねじ具などにより取付けられる。ここで、側板２の上記対向面に上下方向に一定間隔で孔を設けておき、任意の孔を利用して固定レール１２ｂを固着するためのねじ具をねじ込むことで固定レール１２ｂの取付け位置を選択して位置決めしながら任意の高さ位置に取付けることができる。
【００２６】
上記固定レール１２ｂにはスライド棚３の両側に取付けた移動レール１２ａを前方から差し込んで取付けるものであり、これにより移動レール１２ａを固定レール１２ｂに対してスライドさせてスライド棚３を収納箱１の前方開口部１ａから前方に引出したり、あるいは収納箱１内に収納したりできるようになっている。固定レール１２ｂの前端には前端開口の固定レール１２ｂ内に差し込んだ移動レール１２ａを支持するための支持ロール（図示せず）が設けてあって、支持ロールに移動レール１２ａが支持されるものであり、また、移動レール１２ａの後端部の上面部が固定レール１２ｂに当たって支持され、この二点の支持により支持された状態で移動レール１２ａが固定レール１２ｂに対してスライド自在となっている。
【００２７】
もちろん、移動レール１２ａと固定レール１２ｂとのスライド機構は上記の例にのみ限定されず、他の種々のスライド機構が採用できるものである。
【００２８】
上記のように収納箱１に引出し自在に取付けたスライド棚３は前後方向に多数形成したディスク入れ用凹部６に図３、図４のようにＣＤやコンピュータディスク等のディスクを入れたディスクケース２３を上方から差し込んで前後方向に立てて並べて収納するものである。この場合、図４に示すようにＣＤやコンピュータディスク等のディスクを入れたディスクケース２３は前面のタイトルなどを表示した表面が正面を向くように（つまりディスクケース２３は前面のタイトルなどを表示した表面が引出し方向と直交するように）収納されるものであり、これにより取り出す際にはスライド棚３を収納箱１の前方開口部１ａから引出して順にめくりながらディスクケース２３は前面のタイトルなどを表示した表面を正面から見ながら目的とするものを選んで上方に抜き取ることで取り出すことができる。この場合、スライド棚３を前方に引出すことで奥のディスク入れ用凹部６に入れてあるものでも容易に取り出すことができるものである。
【００２９】
ここで、図１５に示すように縦リブ５の前後面にそれぞれ左右方向にわたる凹凸部１３を設けることで、ディスク入れ用凹部６にディスクケース２３を入れて立てかけた場合、ディスクケース２３の下端の角部が縦リブ５の凹凸部１３に引っ掛かるため、スライド棚３のスライド時の振動でディスクケース２３がたついたり、倒れたりするのを防止できるものである。凹凸部１３は縦リブ５の前後面の上下前面に設けてもよいが少なくとも図１５に示すように下部に設ける必要がある。これはディスク入れ用凹部６の溝巾はディスクケース２３の厚みよりも少し広く、ディスク入れ用凹部６内にディスクケース２３の下端部を入れた場合、図３、図５に示すようにディスクケース２３が前後方向に少し傾いた状態で支持され、この場合、ディスクケース２３の下端部の前後の角部のいずれかが縦リブ５の前後面の下部の凹凸部１３に引っ掛かって係止した状態となり、引出し時の振動によりディスクケース２３が倒れないようにするためである。
【００３０】
ところで、本発明においては、前述のように、スライド棚３の主体となるスライド棚主体７は水平面部４の上面に左右方向の全長にわたる縦リブ５を前後方向に複数突設して前後に隣合う縦リブ５間の隙間をディスク入れ用凹部６とした押し出し成形により形成してあるので、水平面部４と多数の縦リブ５とを備えたスライド棚主体７を押し出し成形により簡単に成形できて、部材点数が少なくなり、更に、スライド棚３の横巾が異なるものであっても、押し出し成形したスライド棚主体７の切断位置を変えることで容易に多数のディスク入れ用凹部６を一体に有するものが得られるものである。
【００３１】
なお、図に示す実施形態ではスライド棚３を上下に多段に配置している例を示しているが、１段であっても良いのはもちろんである。
【００３２】
【発明の効果】
上記のように本発明の請求項１記載の発明にあっては、前方が開口した収納箱の左右に対向する側板間にスライド棚を配設し、水平面部の上面に左右方向の全長にわたる縦リブを前後方向に複数突設して前後に隣合う縦リブ間の隙間をディスク入れ用凹部とした押し出し成形により形成されたスライド棚主体の左右両端面に側面カバーを取付けてスライド棚を構成し、該スライド棚を収納箱の前方開口部から前方に引出し自在としてあるので、スライド棚に設けたディスク入れ用凹部にディスクを入れたディスクケースを前後方向に立てて並べて効率よく収納することができ、取り出す際にはスライド棚を収納箱の前方開口部から引出して順にめくりながら選んで、目的とするディスクケースを奥のものでも容易に取り出すことができ、しかも、ディスクケースの表面が正面を向くようにして前後方向に立て並べられるので、表面を見てタイトルなどを正確に確認しながら容易に目的とするディスクケースを選び出して取り出すことができ、しかも、スライド棚主体が押し出し成形により簡単に得られ、部材点数が少なくなると共に構成が簡略化され、更に、スライド棚の横巾が異なるものであっても、押し出し成形したスライド棚主体の切断位置を変えることで容易に多数のディスク入れ用凹部を一体に有するものが得られるものであり、また、多数のディスク入れ用凹部を一体に備えた押し出し成形により形成したスライド棚主体の切断端部を側面カバーで覆うことで、押し出し成形したスライド棚主体の切断端部が露出せず、切断端部で指などを傷つけたりすることなく、外観も良くなるものである。
【００３３】
また、請求項２記載の発明にあっては、上記請求項１記載の発明の効果に加えて、角カバーに嵌め込み部を設け、この角カバーをスライド棚主体の前端部の左右両側の角部に配置して該角部を覆うと共に角カバーに設けた嵌め込み部をスライド棚主体の前端部のディスク入れ用凹部の左右方向の端部に嵌め込み、角カバーの嵌め込み部の嵌め込み方向と反対側の側端部に側面カバーの前端部内側面を当接し、該側面カバーの外側面に移動側レールを当接して該移動側レールを側面カバーを介してねじ具によりスライド棚主体に固着し、移動側レールを収納箱の側板の内側面に固定した固定側レールに対してスライド自在に取付けてあるので、多数のディスク入れ用凹部を一体に備えた押し出し成形により形成したスライド棚主体の切断端部を側面カバーで覆うだけでなく、スライド棚主体の前端部の左右両側の角部を角カバーにより覆って、角で指などを傷つけたりすることなく、外観も良くなるものであり、しかも、移動側レールをねじ具によりスライド棚に取付ける際に、同時に上記側面カバー、角カバーをスライド棚主体に取付けることができるものである。
【００３４】
また、請求項３記載の発明にあっては、上記請求項１又は請求項２記載の発明の効果に加えて、縦リブの前後面に左右方向にわたる凹凸部を設けてあるので、ディスク入れ用凹部にディスクケースを入れて立てかけた場合、ディスクケースの下端の角部が縦リブの凹凸部に引っ掛かるるため、スライド棚のスライド時の振動でディスクケースがたついたり、倒れたりするのを防止できるものである。
【図面の簡単な説明】
【図１】本発明の全体斜視図である。
【図２】同上の要部斜視図である。
【図３】同上の要部側断面図である。
【図４】同上の要部正面図である。
【図５】同上のスライド棚の引出し・押し込み収納状態を示す説明図である。
【図６】同上のスライド棚の一部分解斜視図である。
【図７】同上の角カバー、側面カバーのスライド棚主体への取付け順序を示す説明図である。
【図８】同上の角カバー、側面カバーのスライド棚主体への取付け順序を示す説明図である。
【図９】同上の角カバー、側面カバーのスライド棚主体への取付け順序を示す説明図である。
【図１０】同上の嵌め込み部をディスク入れ用凹部に嵌め込んだ部分の側面断面図である。
【図１１】同上の嵌め込み部をディスク入れ用凹部に嵌め込んだ部分の平面図である。
【図１２】同上の嵌め込み部をディスク入れ用凹部に嵌め込んだ部分の背面断面図である。
【図１３】同上に用いる角カバーを示し、（ａ）は一方側から見た斜視図であり、（ｂ）は他側方から見た斜視図であり、（ｃ）は正面図であり、（ｄ）は左側面図であり、（ｅ）は右側面図であり、（ｆ）は平面図である。
【図１４】同上に用いる側面カバーを示し、（ａ）は平面図であり、（ｂ）は側面図であり、（ｃ）は断面図である。
【図１５】同上に用いるスライド棚主体の他の例を示し、（ａ）は側面図であり、（ｂ）は要部拡大側面図である。
【符号の説明】
１  収納箱
１ａ  前方開口部
２  側板
３  スライド棚
４  水平面部
５  縦リブ
６  ディスク入れ用凹部
７  スライド棚主体
８  側面カバー
９  角カバー
１０  嵌め込み部
１１  ねじ具
１２ａ  移動側レール
１２ｂ  固定側レール
１３  凹凸部
【図１】
2004231276.tif 000003
【図２】
2004231276.tif 000004
【図３】
2004231276.tif 000005
【図４】
2004231276.tif 000006
【図５】
2004231276.tif 000007
【図６】
2004231276.tif 000008
【図７】
2004231276.tif 000009
【図８】
2004231276.tif 000010
【図９】
2004231276.tif 000011
【図１０】
2004231276.tif 000012
【図１１】
2004231276.tif 000013
【図１２】
2004231276.tif 000014
【図１３】
2004231276.tif 000015
【図１４】
2004231276.tif 000016
【図１５】
2004231276.tif 000017